(57)【要約】  本発明は、差込接点（４）を介して取り付け機構（１）の相手差込接点（５）と接触可能な電気開閉装置（２）を上面に固着させた取り付け機構（１）に関する。第１取り付け手段（７、８）は、差込接点（４）が相手差込接点（５）と接触しない所定の停止位置で開閉装置（２）を保持すべく構成されている。このため、開閉装置（２）に接続された負荷は無電流の状態に保たれており、負荷への接触や、負荷交換を危険なしに実行可能である。
2008512826.tif 000002
【特許請求の範囲】
【請求項１】
電気開閉装置（２）を上面に固着させた取り付け機構（１）において、
ａ）開閉装置（２）が、取り付け機構（１）に設けられた相手差込接点（５）と差込接触するための差込接点（４）を有し、
ｂ）取り付け機構（１）および開閉装置（２）が第１取り付け手段（７、８）を備えており、これらの取り付け手段が開閉装置（２）を、差込接点（４）と相手差込接点（５）との接触なしに、所定の停止位置で保持することを特徴とする取り付け機構。
【請求項２】
第１取り付け手段が、開閉装置（２）と取り付け機構（１）とを相互に係止させるための第１係止手段（７、８）として構成されたことを特徴とする請求項１記載の取り付け機構。
【請求項３】
取り付け機構（１）が案内手段（９）を有し、該案内手段が、開閉装置（２）の停止位置への差込運動時に開閉装置を案内することを特徴とする請求項１又は２記載の取り付け機構。
【請求項４】
取り付け機構（１）および開閉装置（２）が第２取り付け手段（１１、１２）を有し、該取り付け手段が開閉装置を、所定の接触位置で保持し、この接触位置において差込接点（４）が相手差込接点（５）に接触し、停止位置の通過後に初めて接触位置に到達可能であることを特徴とする請求項１から３の１つに記載の取り付け機構。
【請求項５】
第２取り付け手段が第２係止手段（１１、１２）として構成されたことを特徴とする請求項１から４の１つに記載の取り付け機構。
【請求項６】
相手差込接点（５）が、取り付け機構に一体化された電力分配システム（１３）と結合されたことを特徴とする請求項１から５の１つに記載の取り付け機構。
【請求項７】
開閉装置（２）のハウジング（６）の第１取り付け手段（１１）を特徴とする請求項１から６の１つに記載の取り付け機構。
【請求項８】
開閉装置（２）のハウジング（６）の第２取り付け手段（１１）を特徴とする請求項１から７の１つに記載の取り付け機構。
【請求項９】
差込接点（４）が開閉装置（２）のハウジング（６）から突出することを特徴とする請求項１から８の１つに記載の取り付け機構。
【請求項１０】
相手差込接点（５）が接触安全性をもたせて取り付け機構（１）に一体化されたことを特徴とする請求項１から９の１つに記載の取り付け機構。
【請求項１１】
差込接点（４）と相手差込接点（５）が、開閉装置（２）の裏壁（３）に対し垂直な差込運動によって接触可能であるように配置されかつ位置合せされたことを特徴とする請求項１から１０の１つに記載の取り付け機構。
【発明の詳細な説明】
【技術分野】
【０００１】
本発明は、電気開閉装置を上面に固着させた取り付け機構に関する。
【背景技術】
【０００２】
欧州特許第１０２９３９０号明細書は、接触器と遮断器とで構成されて中間支持体上に組付けられた負荷分岐を開示している。中間支持体が通路を備えており、この通路内にある差込接点は電線路を介して、電力を供給するための分岐組立体と結合されている。これらの差込接点は中間支持体を載置することで基本支持体上の負荷分岐と接触し、基本支持体内に相手差込接点がある。基本支持体上での取り付けと同時に接触が生ずる。
【発明の開示】
【発明が解決しようとする課題】
【０００３】
本発明の課題は、開閉装置の取り付けおよび接触を考慮して改善された上記種類の取り付け機構を提供することである。
【課題を解決するための手段】
【０００４】
この課題は、請求項１の特徴を有する取り付け機構によって解決される。
【０００５】
停止位置で開閉装置をこのように予め係止させることで安全な状態が達成され、この状態のとき、開閉装置に接続された負荷は無電流の状態にあり、それ故にこれらの負荷への接触又は例えば負荷交換が危険なしに可能である。
【０００６】
本発明の有利な諸構成を従属請求項に示す。
【０００７】
特別有利な、簡単かつ安価な解決策は、第１取り付け手段を、開閉装置と取り付け機構とを相互に係止させるための第１係止手段として形成することである。
【０００８】
開閉装置の取り付けを簡単に実行するには、取り付け機構が案内手段を有し、該案内手段が、開閉装置の停止位置への差込運動時に開閉装置を案内するようにすればよい。
【０００９】
請求項４記載の特徴を持つ形態は、接触位置を相応する取り付け手段で、安全な状態として占め得るで優れている。これを達成するには、まず停止位置を通過せねばならない。
【００１０】
請求項１１に記載の本発明の構成では、差込接点と相手差込接点を、開閉装置の裏壁に対し実質垂直な差込運動で接触可能なように配置かつ位置合せし、特に簡単な接触を可能とする。
【００１１】
以下、図面に基づいて本発明の実施例を詳しく説明する。
【発明を実施するための最良の形態】
【００１２】
図１に、取り付け機構１とその上に固着された電気開閉装置２を示す。開閉装置２は差込接点を有し、該差込接点は開閉装置１の裏壁３から突出する接触ピン４として構成されており、取り付け機構１の相手差込接点としてのソケットと差込接触するのに役立つ。ソケット５は接触安全性を持って取り付け機構１に一体化されている。取り付け機構１と開閉装置２、有利にはそのハウジング６は、係止鼻端７の形態の第１係止手段と、これに適合する第１取り付け手段としての切込み部８とを備え、該手段は開閉装置２を図１に示す停止位置で保持し、その際に差込接点４が相手差込接点５に接触することはない。
【００１３】
停止位置への差込運動時に開閉装置２を案内すべく、取り付け機構１は案内手段を装備しており、該案内手段は、本実施例では内壁９によって予め与えられており、これらの内壁に沿って開閉装置２はその側壁１０を案内されて滑動する。
【００１４】
更に取り付け機構１と開閉装置２は、好ましくはハウジング６に第２取り付け手段を有し、該取り付け手段は第２係止手段として構成され、係止鼻端１１と、適合する切込み部１２とを含む。係止鼻端と切込み部は開閉装置２を図２による所定の接触位置で保持し、この位置で差込接点４が相手差込接点５に接触し、接触位置へは停止位置の通過後に初めて到達可能である。
【００１５】
相手差込接点５は、導電レール１３を用いて取り付け機構１に一体化された電力分配システムと電気的に結合されている。
【００１６】
差込接点４と相手差込接点５は、開閉装置２の裏壁３に対して実質垂直な差込運動によって接触可能となるように配置されかつ位置合せされている。
【００１７】
図３による他の実施例において取り付け機構１は開閉装置２を停止位置で予め係止するための係止鉤１４と、内壁１６には接触状態で開閉装置２を係止するための他の係止鉤１５とを備えている。差込接触可能な開閉装置２はそのハウジング６に、係止鉤１４、１５に適合された切込み部１７、１８を有する。差込接点４がここでは、開閉装置の裏壁３に対して段差を付けられた平面に配置されており、そのことから、特に電力分配システムを収容するための取り付け機構１の選択的構成の可能性が得られる。
【図面の簡単な説明】
【００１８】
【図１】本発明に係る第１取り付け機構とその上に固着された電気開閉装置とを非接触状態で示す。
【図２】図１による本発明に係る取り付け機構とその上に固着され接触させられた電気開閉装置とを示す。
【図３】本発明に係る第２取り付け機構とその上に固着可能かつ差込接触可能な電気開閉装置とを示す。
【符号の説明】
【００１９】
１  取り付け機構、２  開閉装置、３  裏壁、４  接触ピン、５  ソケット、６  ハウジング、７  係止鼻端、８  切込み部、９  内壁、１０  側壁、１１  係止鼻端、１２  切込み部、１３  導電レール、１４、１５  係止鉤、１６  内壁、１７、１８  切込み部
【図１】
2008512826.tif 000003
【図２】
2008512826.tif 000004
【図３】
2008512826.tif 000005
【国際調査報告】
2008512826.tif 000006
2008512826.tif 000007
2008512826.tif 000008
2008512826.tif 000009
2008512826.tif 000010
2008512826.tif 000011